(57)【要約】      （修正有）【課題】発券端末と読取端末の読取方式の差や読取端末の端末毎の読取性能のばらつきにより、発券したチケットの照合時の障害を防止する発券読取システムおよび発券読取装置を提供する。【解決手段】チケットの発券端末と発券されたチケットの読取端末と上位装置が接続された発券読取システムで、発券端末は、上位装置からの指示によりバーコードを印刷してチケットを発券する印刷部と、印刷されたバーコードを読取る発券読取部と、発券読取り部によるバーコードの読取り成立回数が所定のしきい値以上であるか否かを判定する発券端末制御部と備え、読取端末は、発券端末が発券したチケットに印刷されたバーコードを読取る読取部と、発券端末制御部が、バーコードの読取り成立回数が所定のしきい値に満たないと判定した場合、読取部の読取性能を低下させてバーコードを読取り、その読取可否に応じてチケットの販売可否を判断する読取端末制御部を備える。【選択図】図３
2013131054.tif 000002
【特許請求の範囲】
【請求項１】
チケットを発券する発券端末と発券された前記チケットを読取る読取端末と前記発券端末に対して前記チケットの発券を指示する上位装置とが互いに接続された発券読取システムであって、
前記発券端末は、
前記上位装置からの指示によりバーコードを印刷して前記チケットを発券する印刷部と、
印刷された前記バーコードを読取る発券読取り部と、
前記発券読取り部による前記バーコードの読取り成立回数が所定のしきい値以上であるか否かを判定する発券端末制御部と、を備え、
前記読取端末は、
前記発券端末が発券した前記チケットに印刷されたバーコードを読取る読取り部と、
前記発券端末制御部が、前記バーコードの読取り成立回数が所定のしきい値に満たないと判定した場合、前記読取り部の読取り性能を低下させた状態で前記バーコードを読取り、その読取可否に応じてチケットの販売可否を判断する読取端末制御部と、
を備えることを特徴とする発券読取システム。
【請求項２】
前記発券端末制御部は、前記バーコードの読取り成立回数が所定のしきい値に満たないと判定する回数が続くと判定した場合、前記印刷部が印字する前記バーコードの印刷濃度を上げるように制御する、
ことを特徴とする請求項１に記載の発券読取システム。
【請求項３】
前記発券端末制御部は、前記バーコードの読取り成立回数が所定のしきい値に満たないと判定する回数が続くと判定した場合、前記チケットを識別するためのチケット識別情報を前記上位装置に送信して記憶させ、
前記読取端末制御部は、実際に前記読取り部が前記チケット識別情報によって識別されるチケットに印刷された前記バーコードを読取る際に、前記上位装置からの指示に応じて、前記読取り部の読取り性能を高めた状態で前記バーコードを読取る、
ことを特徴とする請求項１または２に記載の発券読取システム。
【請求項４】
前記発券端末制御部は、前記発券部が発券したチケットに印刷された前記バーコードと券面との間の振幅レベルを検知し、前記チケットを識別するためのチケット識別情報と前記振幅レベルとを対応付けて前記上位装置に送信して記憶させ、
前記読取端末制御部は、前記読取り部が読取ったチケットの前記チケット識別情報をキーとして前記上位装置から読取られた前記チケットの前記振幅レベルを読取り、読取った前記振幅レベルに応じて前記読取り部の読取り性能を調整する、
ことを特徴とする請求項１〜３のいずれか１項に記載の発券読取システム。
【請求項５】
前記振幅レベルは前記バーコードの中の細いバーを基準として定められている、
ことを特徴とする請求項４に記載の発券読取システム。
【請求項６】
前記読取端末制御部は、前記読取り部が有する前記バーコードを認識するためのセンサの輝度および感度を調整することにより、前記読取り部の読取り性能を低下し、高め、調整する、
ことを特徴とする請求項１〜５のいずれか１項に記載の発券読取システム。
【請求項７】
チケットの発券を指示する上位装置に接続され、前記チケットを発券し、発券した前記チケットを読取る発券読取装置であって、
前記上位装置からの指示によりバーコードを印刷して前記チケットを発券する印刷部と、
印刷された前記バーコードを読取る発券読取り部と、
前記発券端末が発券した前記チケットに印刷されたバーコードを読取る読取り部と、
前記発券読取り部による前記バーコードの読取り成立回数が所定のしきい値以上であるか否かを判定し、前記バーコードの読取り成立回数が所定のしきい値に満たないと判定した場合、前記読取り部の読取り性能を低下させた状態で前記バーコードを読取り、その読取可否に応じてチケットの販売可否を判断する制御部と、
を備えることを特徴とする発券読取装置。
【発明の詳細な説明】
【技術分野】
【０００１】
本発明は、チケット等の発券・読取システムにおいて、発券端末と読取端末の読み取り方式の差異による読み取り不可障害や、読取端末の個体差のばらつきによる読み取り不可障害の発生を防ぎ、チケットを販売することが可能な発券・読取システムに関する。
【背景技術】
【０００２】
バーコード等の識別情報を印刷する発券端末は、媒体を搬送中に端末内部の印字ヘッドにて印刷を実施し、正常に印刷されているかを同じく端末内部に有したバーコードリーダで読取り確認している。識別情報を読取ることができなかった場合には、正しく印刷されていない無効な券として判断し障害券として処理され、上位（ホスト）システムに対しても取消し処理がされる。本技術分野の背景技術として特開２００６−１６８０８６号公報（特許文献１）がある。この公報には発券端末内部に有するバーコードリーダの照合成功率によってバーコード印刷状態の解析を実施し、該当チケットの有効、無効を判断して印字異常による障害券の発券枚数を減少させる方法と、またバーコード印刷状態の解析結果と過去の障害履歴から上位（ホスト）システムが該当端末に対し、清掃などの予防保守のガイダンス表示を行い、障害率を減少させる方法が記されている。
【先行技術文献】
【特許文献】
【０００３】
【特許文献１】特開２００６−１６８０８６号公報
【発明の概要】
【発明が解決しようとする課題】
【０００４】
バーコード等のチケットに印刷される識別情報は、上位（ホスト）で管理されているチケットの情報を引き出すために非常に重要である。発券端末の内部に有するバーコードリーダは印刷したバーコードが正常に印刷できているかを確認するためにある。一般的なＣＣＤ（Charge  Coupled  Device）／ＣＩＳ（Contact  Image  Sensor）イメージセンサのバーコードリーダが、チケットの搬送中にバーコードをスキャンして読み取りを行う。
【０００５】
読取端末でも発券端末と同じバーコードリーダを有していれば問題無いが、多くの場合、読取端末がチケットのバーコードの読み取りだけを行えば良い訳ではない。その理由は、チケット以外の申込みカード等のマークを読み取る必要があること、読取端末のチケット搬送の向きが発券端末の発券時とは異なること等の機能及び実装上の理由から、読取端末が発券端末と同一のバーコードリーダで読み取りを行うことは少ないためであり、そのような機能及び実装上の要求に対応するために読取端末ではバーコードを画像として認識し読み取りを実施している。
【０００６】
したがって、例えば、印刷したバーコードの印刷濃度が低く、発券端末のバーコードリーダの読み取りでスキャンの成立回数が通常の印刷濃度の成立回数よりも少なく、かろうじて読み取りが成立してバーコードが認識できた場合には、チケット照合時に読取端末のバーコード読み取りでは認識することができずに読み取り不可障害となる可能性がある。また、印刷したバーコードの印刷濃度が低く読取端末の読み取り可否閾値の境界付近にあるような印刷状態の場合、読取端末の個体差によっては、ある読取端末では読取可能であっても、別の読取端末では読取不可となるような可能性もある。そのような発券端末と読取端末の読み取り方式の差異や、読取端末の端末毎の読み取り性能のばらつきにより、発券し販売したチケットが照合時に読み取り不可障害を発生させることになる。
【０００７】
本発明は、上記に鑑みてなされたものであって、発券端末と読取端末の読取方式の差や読取端末の端末毎の読取性能のばらつきにより、発券し販売したチケットが照合時に読み取ることが出来ずに障害を発生させることを防止することが可能な発券読取システムおよび発券読取装置を提供することを目的とする。
【課題を解決するための手段】
【０００８】
上述した課題を解決し、目的を達成するために、本発明にかかる発券読取システムは、チケットを発券する発券端末と発券された前記チケットを読取る読取端末と前記発券端末に対して前記チケットの発券を指示する上位装置とが互いに接続された発券読取システムであって、前記発券端末は、前記上位装置からの指示によりバーコードを印刷して前記チケットを発券する印刷部と、印刷された前記バーコードを読取る発券読取り部と、前記発券読取り部による前記バーコードの読取り成立回数が所定のしきい値以上であるか否かを判定する発券端末制御部と、を備え、前記読取端末は、前記発券端末が発券した前記チケットに印刷されたバーコードを読取る読取り部と、前記発券端末制御部が、前記バーコードの読取り成立回数が所定のしきい値に満たないと判定した場合、前記読取り部の読取り性能を低下させた状態で前記バーコードを読取り、その読取可否に応じてチケットの販売可否を判断する読取端末制御部と、を備えることを特徴とする。
【０００９】
また、本発明にかかる発券読取装置は、チケットの発券を指示する上位装置に接続され、前記チケットを発券し、発券した前記チケットを読取る発券読取装置であって、前記上位装置からの指示によりバーコードを印刷して前記チケットを発券する印刷部と、印刷された前記バーコードを読取る発券読取り部と、前記発券端末が発券した前記チケットに印刷されたバーコードを読取る読取り部と、前記発券読取り部による前記バーコードの読取り成立回数が所定のしきい値以上であるか否かを判定し、前記バーコードの読取り成立回数が所定のしきい値に満たないと判定した場合、前記読取り部の読取り性能を低下させた状態で前記バーコードを読取り、その読取可否に応じてチケットの販売可否を判断する制御部と、を備えることを特徴とする。
【発明の効果】
【００１０】
本発明によれば、発券端末と読取端末の読取方式の差や読取端末の端末毎の読取性能のばらつきにより、発券し販売したチケットが照合時に読み取ることが出来ずに障害を発生させることを防止することができる。
【図面の簡単な説明】
【００１１】
【図１】発券読取システムの構成を示すブロック図である。
【図２】通常の発券、照合時の動作フローチャートである。
【図３】チケット発券時の判定発券処理の処理手順を示すフローチャートである。
【図４】チケット照合時の障害照合処理の処理手順を示すフローチャートである。
【図５】振幅レベル登録処理の処理手順を示すフローチャートである。
【図６Ａ】バーコードの振幅レベル判定例である。
【図６Ｂ】上位管理情報のデータ構成例である。
【図７】調整読取り処理の処理手順を示すフローチャートである。
【図８】発券読取装置の構成を示すブロック図である。
【発明を実施するための形態】
【００１２】
以下に添付図面を参照して、本発明にかかる発券読取システムおよび発券読取装置の実施の形態を詳細に説明する。
【実施例１】
【００１３】
図１は、第１の実施の形態における発券読取システム１０００の構成を示すブロック図である。また、図２は、発券読取システム１０００において行われるチケットの通常の発券、照合時の処理手順を示すフローチャートである。また、図３は、チケット発券時において、発券読取システム１０００がチケットの販売可否を判断した上でチケットを発券する処理（判定発券処理）の処理手順を示すフローチャートである。図４は、チケット照合時において、発券読取システム１０００がチケットの読取不可障害を防止した上でチケットを照合する処理（障害照合処理）の処理手順を示すフローチャートである。
【００１４】
図１に示すように、発券読取システム１０００は、チケット販売店の各売場に設けられた端末装置を制御する上位（ホスト）装置１０と、上位装置１０との通信および各端末装置の動作を制御する端末制御装置１１と、チケットを発行する発券端末装置１２と、チケットに印刷等された情報を読み取る読取端末装置１３と、オペレータが各端末装置を操作し内容を確認するための操作ディスプレイ（表示部）１４と、を有して構成されている。このような構成を有した発券読取システム１０００における一般的なチケットの発券方法の流れについて説明する。なお、以下では特に図示していないが、発券端末装置１２が、バーコードを印刷する機構、印刷したバーコードの読取り確認をするバーコードリーダ、上位（ホスト）装置１０等の他の装置と通信するための通信装置、これらを制御する制御部を有し、読取端末装置１３が、バーコードリーダ、上位（ホスト）装置１０等の他の装置と通信するための通信装置、これらを制御する制御部を有し、端末制御装置１１を介さずに直接上位（ホスト）装置１０と通信することとしてもよい。
【００１５】
図２に示すように、一般的な発券方法については、まず、上位（ホスト）１０から制御部１１を介して発券端末装置１２に発券指示が出されると、発券端末装置１２は、まずチケットにあらかじめ付記されているチケットを識別する為の通番を読み取る（ステップ１０１）。次に、発券端末装置１２は、チケット券面に必要な内容とその情報を示すバーコードの印刷を行い（ステップ１０２）、その印刷したバーコードを、発券端末装置１２の内部に有するバーコードリーダで読み取る（ステップ１０３）。続いて、発券端末装置１２は、チケットを内部のカッタによりカットして排出し（ステップ１０４）、端末制御装置１１を介して、読み取った識別通番、バーコード情報、排出終了確認を示す情報を上位（ホスト）１０に送信（ステップ１０５）し、チケットの発券を終了する。
【００１６】
チケットを発券する場合と同様に、一般的な照合方法について説明する。読取端末装置１３は、まず挿入されたチケットにあらかじめ付記されている通番を読み取り（ステップ２０１）、発券端末装置１２が発券時にチケット情報として印刷したバーコードを読み取る（ステップ２０２）。読取端末装置１３は、端末制御装置１１を介して、読み取った識別通番、バーコード情報を上位（ホスト）１０に送信し、バーコードのチケット情報が上位（ホスト）１０に登録されている情報と一致するかを照合する（ステップ２０３）。
【００１７】
続いて、図３を用いて、本発明の発券読取システムが行う判定発券処理について説明する。まず、発券端末装置１２が上位（ホスト）１０から発券指示を受信する（ステップ３０１）と、発券を開始し（ステップ３０２）チケットを搬送しながら、チケットにあらかじめ付記されているチケットを識別する為の通番を読み取る（ステップ３０３）。そして、発券端末装置１２は、チケット券面に必要な内容とその情報のバーコードを印刷し（ステップ３０４）、その印刷したバーコードを内蔵するバーコードリーダで読み取る（ステップ３０５）。読み取ったバーコードのスキャンが成立しているか確認し（ステップ３０６）、スキャンが不成立ならば印刷不良として障害券と判断し該当チケットは販売しない。
【００１８】
一方、スキャンが成立している時には、発券端末装置１２は、搬送中にスキャンが成立した回数を確認する。例えば、通常の発券搬送中に、正常の印刷であれば、内蔵するバーコードリーダのスキャンスピードで１０回スキャンが成立することが可能だったとする。その場合に、搬送中の読み取りで１〜２回程度しかスキャンが成立しない場合には、バーコード部分の印刷に印字欠けが発生し、スキャンが成立している箇所が少ない可能性や、印刷濃度が薄く読み取りが困難になっている等の問題が有ると推定される。
【００１９】
ここでは例えば、スキャン成立回数３回をしきい値とし、成立回数が３回以上かどうかを確認し（ステップ３０７）、３回以上であれば正常に発券を完了し（ステップ３０８）、３回未満の場合には、自動で読取端末装置１３のバーコード認識センサの輝度を高くしセンサ感度を低下させ、バーコードの画像認識時に黒と白の濃淡差が小さくなるように調整する（ステップ３０９）。バーコード認識センサの輝度や感度の調整は、使用するセンサ及び媒体等によって変化し得るが、濃淡差が小さくなるように調整することで読み取り性能を低下させた状態に待機させ、操作ディスプレイ１４でオペレータに待機状態にある読取端末装置１３にチケットを挿入するように誘導し（ステップ３１０）、チケットが挿入されれば読取端末装置１３はバーコードの読み取りを実施する（ステップ３１１）。
【００２０】
そして、読取端末装置１３の読み取り性能を低下させた状態でのバーコードの読み取りの可否を確認し（ステップ３１２）、読み取り不可能な場合には印刷不良として障害券と判断し該当チケットは販売しない。一方、読取端末装置１３の読み取りが可能な場合には正常に発券を完了し（ステップ３０８）、該当チケットの販売をする（ステップ３１３）。このような処理を行うことにより、チケットの照合時に、より読み取り不可障害が発生し難いチケットを販売することが可能となる。
【００２１】
また、照合時に後述の読み取り不可障害防止のための手段に利用する為に、発券端末装置１２は、チケット通番情報とバーコード情報及びスキャン成立回数が少ない場合（例えば、上述したしきい値未満の場合）にはその情報を上位（ホスト）１０に送信し、チケット発券履歴情報として通知しておく（ステップ３１４）。さらに、発券端末装置１２はスキャン成立回数が少ない発券が続いていないかを上述したチケット発券履歴情報から判断し（ステップ３１５）、複数枚連続して発生している場合には、何らかの原因により印字濃度が薄くなった可能性が考えられることから、発券端末装置１２の印刷エネルギーを増加するよう設定し、印刷濃度が濃くなるように自動で調整を実施する（ステップ３１６）。
【００２２】
このような処理を行うことにより、経年等による印刷濃度の低下に対して、チケットの印刷濃度を常に一定以上に保つことが可能となり、同様に照合時により読み取り不可障害が発生し難いチケットを販売することが可能となる。ただし、印刷エネルギーを増加したにも関わらず、その後の発券においてスキャン成立回数が少ない状態が続く場合には、印刷濃度の低下ではなく、発券端末装置１２の印刷部もしくはバーコード読み取り部にゴミや異物が付着していることが推定されるため、該当部の清掃を実施するように指示する通報装置によるアラームにも利用することができる。
【００２３】
次に、図４を用いて、本発明の発券読取システムが行う障害照合処理について説明する。読取端末装置１３は、エンドユーザーが持ち込んだ照合チケットが挿入されると、チケットの通番情報を読み取り（ステップ４０１）、通番情報を上位（ホスト）１０に確認する（ステップ４０２）。読取端末装置１３は、確認の結果、挿入されたチケットが発券時にバーコードスキャン成立回数が少なく、読取端末装置１３にて前述の手段を用いて販売可否判断を実施したチケットであるかも同時に確認し（ステップ４０３）、上位（ホスト）１０のチケット発券履歴情報に該当情報が無ければそのままチケットのバーコードを読み取る（ステップ４０４）。
【００２４】
一方、読取端末装置１３は、発券時にスキャン成立回数が少なかったチケットであれば自動で読取端末装置１３のバーコード認識センサの輝度を落とし、センサ感度を増幅させバーコードの印刷濃度が低い場合でも黒白のバーコードの濃淡がはっきり確認できるように設定し（ステップ４０５）、読取端末装置１３のバーコード読み取り性能を増幅した状態で該当チケットのバーコード読み取りを実施する（ステップ４０４）。読取端末装置１３は、バーコードの読み取りを確認し（ステップ４０６）、バーコードのチケット情報を上位（ホスト）１０に確認し（ステップ４０７）、通番情報と照合したチケットの情報が上位（ホスト）１０に登録されているチケット情報と合致していれば正常に照合できたと判断し（ステップ４９８、ステップ４０９）取引を終える。読み取りが不可能な場合や照合情報と一致しない場合には、発券以後に照合するチケットのバーコード部分に汚れの付着や損傷していることが推定されるため、その場合は本発券・読取システムでは読み取り障害と判断する。このような処理を行うことにより、印字濃度が低いチケットも読み取り不可障害の発生を減少させることが可能となる。
【００２５】
すなわち、上位（ホスト）装置１０から送信された情報に従って発券端末装置１２がチケットを発券し、そのチケットを読取端末装置１３にて照合する発券読取システム１０００において、発券端末装置１２にてチケットを発券する際、搬送中に印刷したバーコードを発券端末装置１２に内蔵の印字確認用バーコードリーダで読み取り、そのバーコードのスキャンの成立回数が少ない場合には、自動で読取端末装置１３のバーコード認識センサの輝度を高くしセンサ感度を低下させ、バーコードの画像認識時に黒と白の濃淡差が小さくなるように調整し、その読み取り性能を低下させた状態で待機させた読取端末装置１３に該当のチケットを通し、バーコードの読取可否に応じてチケットの販売可否の判断を行い、発券端末装置１２と読取端末装置１３の読み取り方式の差異を加味し、照合時により読み取り不可障害が発生し難いチケットを販売するので、発券端末装置１２と読取端末装置１３の読取方式の差や読取端末装置１２の端末毎の読取性能のばらつきにより、発券し販売したチケットが照合時に読み取ることが出来ずに障害を発生させることを防止することが可能となる。
【実施例２】
【００２６】
続いて、図５〜７を用いて、第２に実施の形態（請求項４対応）について説明する。図５は、発券時に発券端末装置１２で印字したバーコード情報の黒いバー部分の振幅レベル（バー部分と券面の白い部分の振幅レベル）を検知し、その振幅レベル情報とチケットにあらかじめ付記されているチケット通番情報を一緒に関連づけて上位（ホスト）１０へ登録する処理（振幅レベル登録処理）の処理手順を示すフローチャートである。また、図６Ａは、発券端末装置１２のバーコードリーダで読み取った振幅レベルの判定例を示す図であり、図６Ｂは、上位（ホスト）１０での登録管理情報例を示す図である。図７は、チケット照合時に読取端末装置１３でチケット通番情報を基に上位（ホスト）１０に登録した振幅レベル情報を照会し、読取端末装置１３のバーコード認識センサの輝度と感度または、しきい値を調整してバーコードを読み取りチケット情報の照合を実施し、読み取り不可障害の発生を防止する処理（調整読取り処理）の処理手順を示すフローチャートである。
【００２７】
図５を用いて、上述した振幅レベル登録処理について説明する。まず、発券端末装置１２が上位（ホスト）１０から発券指示を受信する（ステップ５０１）と、発券を開始し（ステップ５０２）チケットを搬送しながら、チケットの通番情報を読み取り（ステップ５０３）、チケット券面に必要な内容とその情報のバーコードを印刷し（ステップ５０４）、その印刷したバーコードを内蔵するバーコードリーダで読み取る（ステップ５０５）。
【００２８】
発券端末装置１２は、読み取ったバーコードのスキャンが成立しているか確認し（ステップ５０６）、不成立ならば印刷不良として障害券と判断し該当チケットは販売しない。成立している時には、バーコードリーダで読み取ったデータから振幅を検出し（ステップ５０７）、あらかじめ定義した振幅レベルを判定する（ステップ５０８）。
【００２９】
振幅レベルの判定方法としては、例えば図６で示すように読み取ったバーコードの細いバーのＡＤ値の振幅から基準を規定するとする。バーコードの細いバーについては太いバーに比べ幅が狭いことから印刷濃度の影響を受け易い傾向がある。ここでは細いバーのＡＤ値の数値が高い場合に、印字濃度が薄い可能性が考えられ、例えば、発券端末装置１２は、印字濃度バーコードの細いバーの振幅がＡＤ値の９０〜１４０の範囲に入っていれば振幅レベル１、６５〜１２０であれば振幅レベル２、４０〜１００であれば振幅レベル３、等々のように振幅レベルをあらかじめ設定しておく。振幅レベル１と振幅レベル３では振幅レベル１の方がより印刷濃度が薄いと推定される。発券端末装置１２は、読み取ったバーコードのデータ波形があらかじめ定義したどの振幅レベルに該当するか判定する。読み取ったバーコードのデータ波形が図６上の読み取りデータ波形の例のようであれば、発券端末装置１２は、細いバーの振幅は９０〜１４０となりレベル１と判定し、読み取ったバーコードのデータ波形が図６下の例のようであれば、細いバーの振幅は４０〜１００でありレベル３と判定する。
【００３０】
発券端末装置１２は、この判定後、そのチケットの通番情報とバーコード情報及び判定した振幅レベルを上位（ホスト）１０に送信し登録する（ステップ５０９）。上位ホストでは、図６に示した登録情報テーブル（登録管理情報）の例のように、チケットの通番情報とバーコード情報及び振幅レベルを一緒に関連付けて管理する。発券したチケットは販売を実施する。
【００３１】
次に、図７を用いて、調整読取り処理について説明する。読取端末装置１３は、エンドユーザーにより持ち込まれた照合するチケットが挿入されると、チケットの通番情報を読み取り（ステップ７０１）、通番情報を上位（ホスト）１０に確認する（ステップ７０２）。読取端末装置１３は、通番情報から上位（ホスト）に登録されている振幅レベルを確認し、振幅レベルに応じて読取端末装置１３のバーコード認識センサの適切な輝度、感度、または黒白を判定するしきい値を調整し（ステップ７０３）、バーコード読み取る（ステップ７０４）。
【００３２】
例えば、前記の通り振幅レベルがレベル１の場合には印刷濃度が薄い可能性が有るため、読取端末装置１３は、バーコード認識センサの輝度を落とし、センサ感度を増幅させ、バーコードの印刷濃度が低い場合でも黒白のバーコードの濃淡がはっきり確認できるように設定して読み取りを実施する。もしくは、読取端末装置１３は、バーコードの白黒を判定するしきい値をＡＤ値の数値の高い方に変更することで、印刷濃度が低い場合でも黒と判定し易く調整し読み取り不可となることを防止する。しかし、振幅レベル３のように濃く印刷されているバーコードを濃く読めるように読取端末装置を調整するとゴミ等の異物を認識してしまう可能性もあり、読取端末装置１３の調整は、あらかじめ振幅レベルに適切に即した設定方法を定義しておく必要がある。
【００３３】
前述の調整した読取端末装置１３にてバーコードの読み取りが可能な場合（ステップ７０５）は、バーコード情報を上位（ホスト）１０に確認（ステップ７０６）し、登録されているチケットの通番情報とバーコードのチケット情報が合致すれば（ステップ７０７）正常に照合できたと判断し（ステップ７０８）取引を終える。読み取りが不可能な場合には、発券以後に照合するチケットのバーコード部分に汚れの付着や損傷していることが推定されるため、その場合は本発券・読取システムでは読み取り障害と判断する。このような処理を行うことにより、発券時に印字濃度が低いチケットが発券された場合でも印刷発券障害とせず、照合時に印字濃度が低い該当のチケットが持ち込まれた場合でも読み取り不可障害の発生を防止することが可能となる。
【００３４】
なお、本発明は、上記実施の形態そのままに限定されるものではなく、実施段階ではその要旨を逸脱しない範囲で構成要素を変形して具体化することができる。例えば、上述した各実施の形態では、発券読取システムは、発券端末装置と読取端末装置とが別々の装置である前提で説明したが、例えば、図８に示すように、発券部、読取部、ディスプレイ（表示部）、これらの各部を制御する制御部を有した一つの発券読取装置として実現することももちろん可能である。
【符号の説明】
【００３５】
１０００  ２０００    発券読取システム
１０          上位（ホスト）装置
１１          端末制御装置
１２          発券端末装置
１３          読取端末装置
１４          操作ディスプレイ（表示部）
８００        発券読取装置
８１２        発券部
８１３        読取部
８１４        ディスプレイ（表示部）
８１５        制御部。
【図１】
2013131054.tif 000003
【図２】
2013131054.tif 000004
【図３】
2013131054.tif 000005
【図４】
2013131054.tif 000006
【図５】
2013131054.tif 000007
【図６Ａ】
2013131054.tif 000008
【図６Ｂ】
2013131054.tif 000009
【図７】
2013131054.tif 000010
【図８】
2013131054.tif 000011